(57)【要約】【課題】従来は見出しの文に対する格フレームにおいて欠落している格関係と格要素を他の見出しの文の格フレームから補うことができない。また、格要素同士の関係や用言同士の関係を抽出し、体言のＩＳ−Ａ関係や用言のＩＳ−Ａ関係を獲得することができない。【解決手段】見出し階層関係抽出部で文書構造を持つ入力文書から章・節等の見出しの階層関係を抽出し、この見出しの階層関係が不適切な場合、見出し階層関係抽出部で再度見出しの階層関係を抽出するため文書編集部で入力文書を編集し、見出しの階層関係が適切な場合、見出しの階層関係の文の構造を解析して見出しごとの格フレームを文解析部で生成し、この見出しごとの格フレームに対して同一の用言の格要素と格関係を見出し階層関係による格マージ部でマージすることで、欠落した格関係と格要素が補われた格フレームの獲得及びＩＳ−Ａ関係の獲得が行なえる。【選択図】図１
2009140056.tif 000002
【特許請求の範囲】
【請求項１】
単語間の関係に関する知識を獲得する言語知識獲得装置であって、
文書構造を持つ入力文書から章・節等の見出しの階層関係を抽出する見出し階層関係抽出部と、
見出しの階層関係の文の構造を解析して見出しごとの格フレームを生成する文解析部と、
前記見出しごとの格フレームに対して同一の用言の格要素と格関係をマージする見出し階層関係による格マージ部を備えることを特徴とする言語知識獲得装置。
【請求項２】
単語間の関係に関する知識を獲得する言語知識獲得装置であって、
文書構造を持つ入力文書から章・節等の見出しの階層関係を抽出する見出し階層関係抽出部と、
見出しの階層関係の文の構造を解析して見出しごとの格フレームを生成する文解析部と、
前記見出しごとの格フレームと見出しの階層関係によりＩＳ−Ａ関係を抽出する見出し階層関係によるＩＳ−Ａ関係抽出部を備えることを特徴とする言語知識獲得装置。
【請求項３】
前記見出し階層関係によるＩＳ−Ａ関係抽出部が同一の用言を持つ格フレームと見出しの階層関係から体言のＩＳ−Ａ関係を抽出することを特徴とする請求項２記載の言語知識獲得装置。
【請求項４】
前記見出し階層関係によるＩＳ−Ａ関係抽出部が同一の格関係と格要素を持つ格フレームと見出し階層関係から用言のＩＳ−Ａ関係を抽出することを特徴とする請求項２記載の言語知識獲得装置。
【請求項５】
単語間の関係に関する知識を獲得する言語知識獲得装置であって、
文書構造を持つ入力文書から章・節等の見出しの階層関係を抽出する見出し階層関係抽出部と、
見出しの階層関係の文の構造を解析して見出しごとの格フレームを生成する文解析部と、
前記見出しごとの格フレームと見出しの階層関係によりＩＳ−Ａ関係を抽出する見出し階層関係によるＩＳ−Ａ関係抽出部と、
前記見出し階層関係抽出部が抽出した見出しの階層関係と前記見出し階層関係によるＩＳ−Ａ関係抽出部が抽出したＩＳ−Ａ関係とから他のＩＳ−Ａ関係を抽出する見出し階層関係と抽出関係によるＩＳ−Ａ関係抽出部を備えることを特徴とする言語知識獲得装置。
【請求項６】
前記見出し階層関係によるＩＳ−Ａ関係抽出部が同一の用言を持つ格フレームと見出しの階層関係から用言のＩＳ−Ａ関係を抽出し、
前記見出し階層関係と抽出関係によるＩＳ−Ａ関係抽出部が体言のＩＳ−Ａ関係を抽出することを特徴とする請求項５記載の言語知識獲得装置。
【請求項７】
前記見出し階層関係によるＩＳ−Ａ関係抽出部が同一の用言を持つ格フレームと見出しの階層関係から用言のＩＳ−Ａ関係を抽出し、
前記見出し階層関係と抽出関係によるＩＳ−Ａ関係抽出部が体言のＩＳ−Ａ関係を抽出することを特徴とする請求項５記載の言語知識獲得装置。
【請求項８】
前記文解析部が前記抽出された見出しの階層関係の文とともに見出し以外の本文中の文の解析を行うことにより、見出しおよび本文中の文から抽出した格フレームを用いることを特徴とする請求項１または請求項２または請求項５記載の言語知識獲得装置。
【請求項９】
前記文解析部は前記見出しが複合語である場合に、見出しの複合語を文に変換して文の解析を行い、複合語から格フレームを生成することを特徴とする請求項１または請求項２または請求項５記載の言語知識獲得装置。
【請求項１０】
前記見出し階層関係抽出部が抽出した見出しの階層関係が不適切な場合、前記見出し階層関係抽出部により再度見出しの階層関係を抽出するため前記入力文書を編集する文書編集部を備えることを特徴とする請求項１または請求項２または請求項５記載の言語知識獲得装置。
【請求項１１】
コンピュータに単語間の関係に関する知識を獲得させる言語知識獲得プログラムであって、
見出し階層関係抽出部が文書構造を持つ入力文書から章・節等の見出しの階層関係を抽出する見出し階層関係抽出ステップと、
文解析部が、抽出された見出しの階層関係の文の構造を解析して見出しごとの格フレームを生成する文解析ステップと、
見出し階層関係による格マージ部が前記見出しごとの格フレームに対して同一の用言の格要素と格関係をマージする見出し階層関係による格マージステップを備えることを特徴とする言語知識獲得プログラム。
【請求項１２】
コンピュータに単語間の関係に関する知識を獲得させる言語知識獲得プログラムであって、
見出し階層関係抽出部が文書構造を持つ入力文書から章・節等の見出しの階層関係を抽出する見出し階層関係抽出ステップと、
文解析部が、見出しの階層関係の文の構造を解析して見出しごとの格フレームを生成する文解析ステップと、
見出し階層関係によるＩＳ−Ａ関係抽出部が、前記見出しごとの格フレームと見出しの階層関係によりＩＳ−Ａ関係を抽出する見出し階層関係によるＩＳ−Ａ関係抽出ステップを備えることを特徴とする言語知識獲得プログラム。
【請求項１３】
コンピュータに単語間の関係に関する知識を獲得させる言語知識獲得プログラムであって、
見出し階層関係抽出部が文書構造を持つ入力文書から章・節等の見出しの階層関係を抽出する見出し階層関係抽出ステップと、
文解析部が、見出しの階層関係の文の構造を解析して見出しごとの格フレームを生成する文解析ステップと、
見出し階層関係によるＩＳ−Ａ関係抽出部が、前記見出しごとの格フレームと見出しの階層関係によりＩＳ−Ａ関係を抽出する見出し階層関係によるＩＳ−Ａ関係抽出ステップと、
見出し階層関係と抽出関係によるＩＳ−Ａ関係抽出部が、前記見出し階層関係抽出ステップにより抽出された見出しの階層関係と前記見出し階層関係によるＩＳ−Ａ関係抽出ステップにより抽出されたＩＳ−Ａ関係とからＩＳ−Ａ関係を抽出する階層関係と抽出関係によるＩＳ−Ａ関係抽出ステップを備えることを特徴とする言語知識獲得プログラム。
【発明の詳細な説明】
【技術分野】
【０００１】
この発明は、電子化文書の検索に用いられるキーワードを提示するため、使用情報機器のマニュアル等の文書における文書構造を用いて言語知識を獲得する技術に関するものである。
【背景技術】
【０００２】
近年、情報機器の複雑化にともない、マニュアルやヘルプ等の電子化文書の検索機能において、操作場面に応じたキーワードや、検索結果の絞り込みに役立つキーワードを提示するなどの検索の利便性向上に関するニーズが高まっている。
操作場面に応じたキーワードや、検索結果の絞り込みに役立つキーワードは情報機器ごとに異なるため、情報機器ごとにマニュアル等の文書から言語知識を獲得する技術が重要となる。
【０００３】
この発明は、マニュアル等の文書の文書構造を用いて操作に関する基本的な言語知識を獲得するための技術に関するものである。
この発明では、動詞、形容詞、形容動詞を用言と呼び、名詞、代名詞を体言と呼ぶ。この発明で抽出する言語知識とは、単語間の関係に関する知識であり、その１つが格フレームである。格フレームとは、用言に対して、その用言がとる体言の格関係を記述したものである。このとき、格フレーム中の体言は格要素と呼ばれる。
例えば、文「履歴から登録地を設定する」において、名詞「履歴」は格助詞「から」によって＜道具＞の関係で動詞「設定する」に係っている。また、名詞「登録地」は、格助詞「を」によって動詞「設定する」に＜目的＞の関係で係っている。このとき、＜道具＞や＜目的＞が格関係であり、名詞「履歴」、「登録地」が格要素である。
【０００４】
また、この発明で抽出する言語知識のもう1つは、ＩＳ−Ａ関係である。ここで、ＩＳ−Ａ関係とは、「ＡはＢの一種である」という関係である。例えば、カーナビのマニュアルに出てくる用語「おすすめスポット」は、用語「おすすめ情報」の一種であるというような関係である。
【０００５】
なお、この発明において、単語と用語（単語および複合語を含む）という言葉は、特に明示しない場合は、区別せず同じ意味として用いるものとする。また、体言を名詞で、用言を動詞で代表させて表現することがある。
【０００６】
従来から、言語知識の獲得に関連する技術において、文書中の見出しや格フレームを用いた技術が用いられており、例えば、特開平10-207891号公報（特許文献１）がある。
特許文献１は、文書要約に関する発明であり、格フレームを用いて要約を行う技術が開示されている。特許文献１の［0068］では、要約対象の文書中の文の解析結果を格フレーム形式で表現することが示されている。また、特許文献１の［0072］では、文書中の章・節内の文から章・節の見出しに依存関係を設定することが開示されている。さらに、特許文献１の［0082］では、依存関係を持つ文の主語が省略されている場合に、主語を補って要約文の可読性を高めることが開示されている。
【０００７】
【特許文献１】特開平10-207891号公報
【発明の開示】
【発明が解決しようとする課題】
【０００８】
しかしながら、特許文献１に示された従来の技術では、文の解析結果を格フレーム形式で表現し、文書中の章・節内の文と章・節の見出しに関する階層関係を利用して、章・節内の文に欠落している主語のみを補うことについては開示されているが、見出し同士の階層関係を用いることについては開示されていないため、見出しの文に対する格フレームにおいて欠落している格関係と格要素を他の見出しの文の格フレームから補った格フレームを獲得することができないという問題点があった。
【０００９】
また、特許文献１に示された従来の技術では、格フレームにおいて主語を補うことについては開示されているが、格要素同士の関係や用言同士の関係を抽出することに関しては開示されていないため、体言のＩＳ−Ａ関係や用言のＩＳ−Ａ関係については獲得することができないという問題点があった。
【００１０】
この発明は、上記のような問題点を解決するためになされたもので、見出しの階層関係を用いて、見出しごとの格フレームについて同一の用言に対して異なる格要素と格関係をマージすることにより、欠落した格関係と格要素が補われた格フレームを獲得することを目的とするものである。
【００１１】
また、この発明は、上記のような問題点を解決するためになされたもので、見出しの階層関係を用いて、見出しごとの格フレームからＩＳ−Ａ関係を獲得することを目的とするものである。
【課題を解決するための手段】
【００１２】
この発明による言語知識獲得装置は、
文書構造を持つ入力文書から章・節等の見出しの階層関係を抽出する見出し階層関係抽出部と、
見出しの階層関係の文の構造を解析して見出しごとの格フレームを生成する文解析部と、
前記見出しごとの格フレームに対して同一の用言の格要素と格関係をマージする見出し階層関係による格マージ部を備えるものである。
【００１３】
また、この発明による言語知識獲得プログラムは、
見出し階層関係抽出部が文書構造を持つ入力文書から章・節等の見出しの階層関係を抽出する見出し階層関係抽出ステップと、
文解析部が、抽出された見出しの階層関係の文の構造を解析して見出しごとの格フレームを生成する文解析ステップと、
見出し階層関係による格マージ部が前記見出しごとの格フレームに対して同一の用言の格要素と格関係をマージする見出し階層関係による格マージステップを備え、
単語間の関係に関する知識を獲得させるために、コンピュータを動作させるものである。
【発明の効果】
【００１４】
この発明に係る言語知識獲得装置または言語知識獲得装置プログラムによれば、見出しの階層関係を用いることにより、単一の文から抽出した格フレームでは欠落してしまう格関係と格要素が補われた格フレームを獲得することができる。
また、この発明に係る言語知識獲得装置または言語知識獲得装置プログラムによれば、見出しの階層関係を用いることにより、見出しごとの格フレームからＩＳ−Ａ関係を獲得することができる。
【発明を実施するための最良の形態】
【００１５】
実施の形態１．
図１はこの発明の実施の形態１の基本構成を示す構成図である。
図１において、１０１０は、この発明の言語知識獲得装置における文書構造を持つ入力文書、
１０２０は、文書構造を持つ入力文書１０１０から章・節等の見出しの階層関係を抽出する見出し階層関係抽出部、
１０３０は、前記見出し階層関係抽出部１０２０が抽出した見出しの階層関係、
１０４０は、前記見出しの階層関係１０３０を参照して入力文書を編集する文書編集部、
１０５０は、文書編集部１０４０で編集された編集後の文書、
１０６０は、前記見出し階層関係抽出部１０２０が抽出した見出しの階層関係１０３０の文の構造を解析して見出しごとの格フレームを生成する文解析部、
１０７０は、前記文解析部１０６０が生成した見出しごとの格フレーム、
１０８０は、前記見出しの階層関係１０３０により前記見出しごとの格フレームをマージする見出し階層関係による格マージ部、
１０９０は、前記見出し階層関係による格マージ部１０８０により格要素と格関係がマージされた格フレームである。
【００１６】
図２は、この発明の実施の形態１を実現するためのコンピュータのハードウェア資源の構成図である。
図２において、２０１０は、入力文書の入力および文書編集部において文書を編集に用いるためのキーボード、マウス等の入力装置である。
２０２０は、制御装置であり、この発明の基本構成の見出し階層関係抽出部１０２０、文解析部１０６０、見出し階層関係による格マージ部１０８０における処理および他の動作に関する制御を行うために用いられ、少なくともＣＰＵ（Ｃｅｎｔｒａｌ  Ｐｒｏｃｅｓｓｉｎｇ  Ｕｎｉｔ）２０３０、主記憶装置２０４０を備える。
【００１７】
２０５０は、２次記憶装置であり、本装置の見出し階層関係抽出部１０２０、文解析部１０６０、見出し階層関係による格マージ部１０８０を実現するためのプログラムの格納、入力文書１０１０の格納、見出しの階層関係１０３０の格納、見出しごとの格フレーム１０７０の格納、格要素と格関係がマージされた格フレーム１０９０の格納のために使用される。また、前記計算の過程で主記憶装置２０４０の補助記憶として使用されることもある。
２０６０は、ディスプレイ等の表示装置２０７０、プリンタ等の印刷装置２０８０を含む出力装置であり、格要素と格関係がマージされた格フレーム１０９０等の内容の出力（提示や印刷）、および、処理の途中過程の出力（提示や印刷）に使用される。
【００１８】
２０９０は記録媒体駆動装置、２１００はＣＤ−ＲＯＭ等の記録媒体である。本装置を構成するプログラムやデータが記録媒体２１００に格納されている際には、記録媒体駆動装置２０９０において読み出され、制御装置２０２０を通じて、２次記憶装置２０５０に格納され、動作に応じて制御装置２０２０に読み出されて実行される。
２１１０は、通信装置であり、他の制御装置との通信に用いられる。ここでは、簡単のため、１つの制御で実行されるとして説明しているが、通信装置によって連携した複数の制御装置および２次記憶装置に分散される構成としても良い。
【００１９】
図３は、この発明の実施の形態１の言語知識獲得装置の処理過程を示す流れ図である。図３を用い、適宜他の図を参照しながら言語知識獲得装置の動作を説明する。
まず、図３のステップＳ３０１０で、図４に例示したような入力文書１０１０を入力する。
図４は、この発明の実施の形態１における入力文書１０１０の例である。入力文書１０１０は、章「３.登録地を設定する」の下位構造として節「３．１  履歴から設定する」および節「３．２住所から設定を行う」がある、といった階層関係の文書構造を持つものとする。
【００２０】
次に、ステップＳ３０２０で、入力文書１０１０から図５に例示したような見出しの階層関係１０３０を抽出する。
図５は、この発明の実施の形態１における見出しの階層関係１０３０である。図５は、「登録地を設定する」に対して、「履歴から設定する」および「住所から設定を行う」が下位関係にある、ことを表している。
【００２１】
次に、ステップＳ３０３０で、抽出した見出しの階層関係１０３０を表示装置２０７０により、本装置の利用者に提示する。
次に、ステップＳ３０４０で、本装置の利用者は、抽出された見出しの階層関係１０３０が所望のもの（適切なもの）であるかどうかを判定する。抽出された見出しの階層関係１０３０が所望のものでない（不適切なもの）場合には、ステップＳ３０５０に移る。
ステップＳ３０５０で、本装置の利用者は、表示装置２０７０に提示された見出しの階層関係１０３０を参考にして、入力装置２０１０を用いて、入力文書１０１０を編集し、図６に例示したような編集後文書１０５０を作成する。
図６は、図５に対応する編集後文書の例である。この例では、表示装置２０７０に提示された見出し「住所から設定を行う」という表現中の「設定を行う」の格関係が抽出しずらい場合があることから「住所から設定する」という見出しに文を編集したことを表している。
ここでは、人手による編集の例を示したが、もちろん、「＜サ変名詞＞を行う」というパターンを「＜サ変名詞＞する」に置換するというよう処理をコンピュータに行わせてもよい。
【００２２】
次に、ステップＳ３０２０で、編集後文書１０５０から、再度、図７に例示したような見出しの階層関係１０３０’を抽出する。また、ステップＳ３０３０で、再度、抽出した見出しの階層関係１０３０’を表示装置２０７０により、本装置の利用者に提示する。
次に、ステップＳ３０４０で、本装置の利用者は、再抽出された見出しの階層関係１０３０’が所望のものであるかどうかを判定する。再抽出された見出しの階層関係１０３０’が所望のものであれば、ステップＳ３０６０に移る。
【００２３】
次に、ステップＳ３０６０で、ステップＳ３０４０で抽出された見出しの階層関係の文を解析する。文の解析は、形態素解析、構文解析、格解析により行うが、形態素解析、構文解析、格解析の方法については、広く公知であるので、ここでは説明を省略する。
【００２４】
なお、前記構文解析は、文中で文節が他の文節に係ることを解析する係り受け解析を含むものとする。ここで、文節とは、自立語（名詞、動詞など）と付属語（助詞、助動詞など）から構成されるものである。名詞＋格助詞が動詞に係る、名詞＋格助詞の文節が他の名詞の文節と並列関係にある、などが代表的な係り受け解析の結果である。
また、ステップＳ３０６０の文解析は、構文解析の後に、動詞に対して格関係と格要素を求める格解析を行う。したがって、ステップＳ３０６０の最終的な出力は、図８に例示した見出しごとの格フレーム１０７０である。
【００２５】
なお、この実施の形態では、見出しから抽出した文に対して文解析を行うこととし、各見出しの文に対する格フレームを抽出することとして説明しているが、さらに、入力文書１０１０および編集後文書１０５０において、見出し以外の本文部分の文を解析して抽出した格フレームを用いても良い。この場合は、本文部分の文は、もっとも下位の見出しの下位関係にあるとして扱う。
【００２６】
また、この実施の形態では、各見出しがひとつの文からなるとして説明しているが、「と」、「や」、「／」、または「・」などの並列表現や記号（）などで囲まれた表現があり、複数の文に相当する表現が含まれている場合には、見出し中の文を複数の文に展開しても良い。
また、各見出しが「システム音量変更」のように複合語で構成されている場合には、「システム音量を変更する」のような文に変換した後に文の解析を行っても良い。
【００２７】
図８は、図７の各見出しの文に対応する格フレームの例である。型式Ｖｉ ［（Ｃｉ，Ｎｉ） ］で格フレームをあらわしており、Ｖｉが動詞、Ｃｉが格関係、Ｎｉが格要素の名詞である。
【００２８】
次に、ステップＳ３０７０において、ステップＳ３０２０で抽出された見出し階層関係１０３０を用いて、同一の動詞の格フレームに対して異なる格をマージする処理を行う。見出し階層関係１０３０による格マージ処理の詳細については、後述する。
【００２９】
次に、ステップＳ３０８０で、格要素と格関係がマージされた格フレーム１０９０を表示装置２０７０または印刷装置２０８０に出力する。このとき、コンピュータにおける他の処理に活用するために、格要素と格関係がマージされた格フレーム１０９０を格フレーム辞書として２次記憶装置２０５０に格納しても良い。
図９は、格関係と格要素がマージされた格フレームの例であり、動詞「設定する」（「する」は省略して記載。以下同様に格フレームにおいて「する」を省略して記載する。）に関してマージされた格フレームの例を示している。
【００３０】
図１０は、ステップＳ３０７０において、見出し階層関係１０３０により異なる格をマージする処理に用いる格マージ規則の例である。ここで、Ｖｉ ［（Ｃｉ，Ｎｉ） ］は、見出しＭｉの文中の動詞Ｖｉの格フレームである。また、Ｖｊ ［（Ｃｊ，Ｎｊ） ］は、見出しＭｊの文中の動詞Ｖｊの格フレームである。Ｃｉ、Ｃｊは、＜目的＞、＜道具＞等の格関係を表す。Ｎｉ、Ｎｊは、格要素の名詞を表す。なお、一般には、ひとつの文ごとの格フレーム中に、複数個の格関係と格要素の対が含まれるが、ここでは簡単のため文ごとの格フレーム中に１組の格関係と格要素の対が含まれる場合について説明する。
【００３１】
また、図１０の格マージ規則において、式 Ｍｊ  ｓｕｂ  Ｍｉは、見出しＭｊが見出しＭｉの下位の階層関係にあることを表す。この規則は、動詞Ｖｉと動詞Ｖｊが同じ動詞Ｖであり、格関係Ｃｉと格関係Ｃｊとが異なり、見出しＭｊが見出しＭｉの下位の階層関係にあれば、格フレームＶｉ ［（Ｃｉ，Ｎｉ） ］とＶｊ ［（Ｃｊ，Ｎｊ） ］の格関係および格要素をマージしてＶｉ［（Ｃｉ，Ｎｉ） , （Ｃｊ，Ｎｊ）］という、格関係および格要素がマージされた格フレームを生成することを表している。
【００３２】
図１１は、ステップＳ３０７０における具体的な格マージの例を示している。見出しＭ１の文解析の結果の格フレームが設定 [ (<目的>, 登録地)]であり、見出しＭ２の文解析の結果の格フレームが設定 [ (<道具>, 履歴)]である場合に、図１０の格マージ規則によって、異なる格関係および格要素がマージされ、設定[ (<目的>, 登録地), (<道具>, 履歴) ]という格フレームが生成されることを表している。
【００３３】
以上のように、この実施の形態によれば、見出しの階層関係を用いることにより、単一の文から抽出した格フレームでは欠落してしまう格関係と格要素が補われた格フレームを獲得することができる言語知識獲得装置および言語知識獲得装置プログラムを実現することができる。
【００３４】
実施の形態２．
実施の形態１では、見出しの階層関係を用いて、格関係と格要素が補われた格フレームを獲得する形態を説明したが、見出しの階層関係を用いて、ＩＳ−Ａ関係を抽出する例を実施の形態２として説明する。
なお、発明の実施の形態２を実現するためのコンピュータのハードウェア資源の構成は、実施の形態１と同様であるので構成の説明を省略する。
【００３５】
図１２は、この発明の実施の形態２における基本構成図である。図２と同じ部分には、同一番号を付して、説明を省略する。
図１２において、１２０８０は、見出しの階層関係によるＩＳ−Ａ関係抽出部、１２０９０は、前記見出しの階層関係によるＩＳ−Ａ関係抽出部によって抽出されたＩＳ−Ａ関係である。
【００３６】
次に、図１３において、実施の形態２の動作について説明する。図３と同じ部分には、同一番号を付して、説明を省略する。
図１３では、ステップＳ１３０７０において、図３と同様に、見出しの文の解析結果として見出しごとの格フレーム１０７０を受け取り、見出しの階層関係によるＩＳ−Ａ関係抽出部１２０８０でＩＳ−Ａ関係１２０９０を抽出する。ＩＳ−Ａ関係の抽出処理の詳細については後述する。
【００３７】
次に、ステップＳ１３０８０で、抽出されたＩＳ−Ａ関係１２０９０を表示装置２０７０または印刷装置２０８０に出力する。このとき、コンピュータにおける他の処理に活用するために、抽出されたＩＳ−Ａ関係１２０９０をＩＳ−Ａ関係辞書として２次記憶装置２０５０に格納しても良い。
【００３８】
図１４は、この発明の実施の形態２における見出しの階層関係の例である。
図１５は、この発明の実施の形態２における見出しの文ごとの格フレームの例である。
図１６は、この発明の実施の形態２におけるステップＳ１３０７０において抽出された体言のＩＳ−Ａ関係の例である。
【００３９】
図１７は、この発明の実施の形態２における見出しの階層関係の他の例である。
図１８は、この発明の実施の形態２における見出しの文ごとの格フレームの他の例である。
図１９は、この発明の実施の形態２におけるステップＳ１３０７０において抽出された用言のＩＳ−Ａ関係の例である。
【００４０】
次に、体言のＩＳ−Ａ関係の抽出処理について、図２０を参照して説明する。
図２０は、体言のＩＳ−Ａ関係抽出規則の例である。ここで、Ｖｉ ［（Ｃｉ，Ｎｉ） ］は、見出しＭｉの文中の動詞Ｖｉの格フレームである。また、Ｖｊ ［（Ｃｊ，Ｎｊ） ］は、見出しＭｊの文中の動詞Ｖｊの格フレームである。Ｃｉ、Ｃｊは、＜目的＞、＜道具＞等の格関係を表す。Ｎｉ、Ｎｊは、格要素の名詞を表す。なお、一般には、ひとつの文ごとの格フレーム中に、複数個の格関係と格要素の対が含まれるが、ここでは簡単のため文ごとの格フレーム中に１組の格関係と格要素の対が含まれる場合について説明する。
【００４１】
また、図２０の体言のＩＳ−Ａ関係抽出規則において、式 Ｍｊ  ｓｕｂ  Ｍｉは、見出しＭｊが見出しＭｉの下位の階層関係にあることを表す。この体言のＩＳ−Ａ関係抽出規則は、動詞Ｖｉと動詞Ｖｊが同じ動詞であり、格関係Ｃｉと格関係Ｃｊとが等しく、格要素ＮｉとＮｊとが異なり、見出しＭｊが見出しＭｉの下位の階層関係にあれば、格要素Ｎｉと格要素ＮｊがＩＳ−Ａ関係「ＩＳ−Ａ（Ｎｉ，Ｎｊ）」を生成することを表している。
【００４２】
具体的には、図１４の見出しの階層関係において、見出し「おすすめ情報を探す」に対して、見出し「おすすめスポットを探す」が下位関係にあることと、図１５の見出しごとの格フレーム「探す［（＜目的＞，おすすめ情報）］」と、見出しごとの格フレーム「探す［（＜目的＞，おすすめスポット）］」から、図１６に示す体言のＩＳ−Ａ関係であるＩＳ−Ａ（おすすめ情報、おすすめスポット）を生成する。
【００４３】
次に、用言のＩＳ−Ａ関係の抽出処理について、図２１を参照して説明する。図２１で、図２０と同様の記号については説明を省略する。この用言のＩＳ−Ａ関係抽出規則は、動詞Ｖｉと動詞Ｖｊが異なる動詞であり、格関係Ｃｉと格関係Ｃｊとが等しく、格要素ＮｉとＮｊとが等しく、見出しＭｊが見出しＭｉの下位の階層関係にあれば、動詞Ｖｉと動詞ＶｊのＩＳ−Ａ関係「ＩＳ−Ａ（Ｖｉ，Ｖｊ）」を生成することを表している。
【００４４】
具体的には、図１７に示す見出しの階層関係において、見出し「登録地を編集する」に対して、見出し「登録地を設定する」が下位関係にあることと、図１８に示す見出しごとの格フレーム「編集［（＜目的＞，登録地）］」と、見出しごとの格フレーム「設定［（＜目的＞，登録地）］」から、図１９に示す用言のＩＳ−Ａ関係であるＩＳ−Ａ（編集する、設定する）を生成する。
【００４５】
以上により、この実施の形態では、見出しの階層関係を用いることにより、体言および用言のＩＳ−Ａ関係を獲得することができる言語知識獲得装置および言語知識獲得装置プログラムを実現することができる。
【００４６】
実施の形態３．
実施の形態１では、見出しの階層関係を用いて、格関係と格要素が補われた格フレームを獲得する形態を説明し、実施の形態２では、見出しの階層関係を用いて、ＩＳ−Ａ関係を抽出する例を実説明したが、本実施の形態では、抽出したＩＳ−Ａ関係を用いて、さらに他のＩＳ−Ａ関係を抽出する例について説明する。
なお、発明の実施の形態３を実現するためのコンピュータのハードウェア資源の構成は、実施の形態１と同様であるので構成の説明は省略する。
【００４７】
図２２は、この発明の実施の形態３における基本構成図である。ここで、図１および図１２と同じ部分には、同一番号を付して、説明を省略する。
図２２において、２２１００は、見出しの階層関係と抽出関係によるＩＳ−Ａ関係抽出部、２２１１０は、前記見出しの階層関係と抽出関係によるＩＳ−Ａ関係抽出部２２１００によって抽出されたＩＳ−Ａ関係である。
【００４８】
次に、図２３において、実施の形態３の動作について説明する。図１３と同じ部分には、同一番号を付して、説明を省略する。
図２３では、ステップＳ２３０７１において、見出しの階層関係１０３０と、実施の形態２で説明したＩＳ−Ａ関係１２０９０とから、さらにＩＳ−Ａ関係を抽出する。
次に、ステップＳ１３０８０では、ステップＳ２３０７１で抽出されたＩＳ−Ａ関係を表示装置２０７０または印刷装置２０８０に出力する。このとき、コンピュータにおける他の処理に活用するために、抽出されたＩＳ−Ａ関係２２１１０をＩＳ−Ａ関係辞書として２次記憶装置２０５０に格納しても良い。
【００４９】
図２４は、この発明の実施の形態３における見出しの階層関係の例である。
図２５は、この発明の実施の形態３において抽出された用言のＩＳ−Ａ関係の例である。
図２６は、この発明の実施の形態３において抽出された体言のＩＳ−Ａ関係の例である。
図２７は、用言のＩＳ−Ａ関係を用いた体言ＩＳ−Ａ関係抽出規則の例である。
【００５０】
図２７で、図２０と同じの記号については説明を省略する。この用言のＩＳ−Ａ関係を用いた体言ＩＳ−Ａ関係抽出規則は、動詞Ｖｉと動詞Ｖｊが異なる動詞であり、格関係Ｃｉと格関係Ｃｊとが等しく、格要素ＮｉとＮｊとが異なり、動詞ＶｉとＶｊとがＩＳ−Ａ関係にあり、見出しＭｊが見出しＭｉの下位の階層関係にあれば、格要素Ｎｉと格要素ＮｊのＩＳ−Ａ関係「ＩＳ−Ａ（Ｎｉ，Ｎｊ）」を生成することを表している。
【００５１】
具体的には、図２４に示す見出しの階層関係により、ステップＳ１３０７０において、実施の形態２での説明と同様の処理によって、図２５に示す用言のＩＳ−Ａ関係「ＩＳ−Ａ（編集する、変更する）」、「ＩＳ−Ａ（編集する，作る）」が生成されたとき、ステップＳ２３０７１において、図２６に示す体言のＩＳ−Ａ関係ＩＳ−Ａ（ルート，迂回ルート）、ＩＳ−Ａ（ルート，別ルート）が生成される。
【００５２】
また、図２８は、体言のＩＳ−Ａ関係を用いた用言ＩＳ−Ａ関係抽出規則の例である。図２８で、図２０と同じ記号については説明を省略する。この用言のＩＳ−Ａ関係を用いた体現ＩＳ−Ａ関係抽出規則は、動詞Ｖｉと動詞Ｖｊが異なる動詞であり、格関係Ｃｉと格関係Ｃｊとが等しく、格要素ＮｉとＮｊとが異なり、名詞ＮｉとＮｊとがＩＳ−Ａ関係にあり、見出しＭｊが見出しＭｉの下位の階層関係にあれば、動詞Ｖｉと動詞ＶｊのＩＳ−Ａ関係「ＩＳ−Ａ（Ｖｉ，Ｖｊ）」を生成することを表している。体言のＩＳ−Ａ関係を用いた用言ＩＳ−Ａ関係抽出規則の具体例については、これまで示してきた例の組み合わせであるので説明を省略する。
【００５３】
この発明の実施の形態３の本質は、増進的な言語知識獲得装置が構成できる、ということである。すなわち、この実施の形態においては、見出し階層関係と抽出関係によるＩＳ−Ａ関係抽出部２２１００による処理の過程の前のステップ（図２３のステップＳ１３０７０）で抽出された言語知識としてのＩＳ−Ａ関係を用いて、見出し階層関係と抽出関係によるＩＳ−Ａ関係抽出部２２１００により図２３のステップＳ２３０７１において抽出する言語知識として他のＩＳ−Ａ関係を例にして説明した。しかし、図２３のステップＳ１３０７０において抽出される言語知識として実施の形態１で説明した格要素と格フレームがマージされた格フレームを基に、抽出される言語知識としてのＩＳ−Ａ関係、または格要素と格フレームがマージされた格フレームとなるような言語知識となるように構成しても良い。
【００５４】
以上により、この実施の形態では、見出しの階層関係を用いることにより、処理の過程で抽出した言語知識を用いてさらに言語知識を獲得することができる言語知識獲得装置および言語知識獲得装置プログラムを実現することができる。
【産業上の利用可能性】
【００５５】
この発明は、電子化文書を検索するシステム、例えばカーナビゲーションシステムやＧＯＴ（Graphic Operation Terminal）などのヘルプシステムに適用可能である。
【図面の簡単な説明】
【００５６】
【図１】この発明による実施の形態１の基本構成を示す構成図である。
【図２】実施の形態１を実現するためのコンピュータのハードウェア資源の構成図である。
【図３】実施の形態１の言語知識獲得装置の処理過程を示す流れ図である。
【図４】実施の形態１における入力文書例の説明図である。
【図５】実施の形態１における見出しの階層関係の説明図である。
【図６】実施の形態１における編集後文書例の説明図である。
【図７】実施の形態１における再抽出した見出しの階層関係の説明図である。
【図８】各見出しの文に対する格フレーム例の説明図である。
【図９】格関係と格要素がマージされた格フレーム例の説明図である。
【図１０】見出し階層関係により異なる格のマージ処理に用いられる格マージ規則例の説明図である。
【図１１】見出し階層関係による格マージ例を示す説明図である。
【図１２】この発明の実施の形態２における基本構成図である。
【図１３】実施の形態２の言語知識獲得装置の処理の過程を示す流れ図である。
【図１４】実施の形態２における見出しの階層関係例の説明図である。
【図１５】実施の形態２における見出しの文ごとの格フレーム例の説明図である。
【図１６】実施の形態２における抽出された体言のＩＳ−Ａ関係例の説明図である。
【図１７】実施の形態２における見出しの階層関係の他の例の説明図である。
【図１８】実施の形態２における見出しの文ごとの格フレームの他の例の説明図である。
【図１９】実施の形態２における抽出された用言のＩＳ−Ａ関係例の説明図である。
【図２０】体言のＩＳ−Ａ関係抽出規則例の説明図である。
【図２１】用言のＩＳ−Ａ関係抽出規則例の説明図である。
【図２２】この発明の実施の形態３における基本構成図である。
【図２３】実施の形態３による言語知識獲得装置の処理の過程を示す流れ図である。
【図２４】実施の形態３における見出しの階層関係例の説明図である。
【図２５】実施の形態３で抽出された用言のＩＳ−Ａ関係例の説明図である。
【図２６】実施の形態３で抽出された体言のＩＳ−Ａ関係例の説明図である。
【図２７】用言のＩＳ−Ａ関係を用いた体言ＩＳ−Ａ関係抽出規則例の説明図である。
【図２８】体言のＩＳ−Ａ関係を用いた用言ＩＳ−Ａ関係抽出規則例の説明図である。
【符号の説明】
【００５７】
１０１０；入力文書、１０２０；見出し階層関係抽出部、１０３０；見出しの階層関係、１０４０；文書編集部、１０５０；編集後の文書、１０６０；文解析部、１０７０；見出しごとの格フレーム、１０８０；見出し階層関係による格マージ部、１０９０；格要素と格関係がマージされた格フレーム、２０１０；入力装置、２０２０；制御装置、２０３０；ＣＰＵ、２０４０；主記憶装置、２０５０；２次記憶装置、２０６０；出力装置、２０７０；表示装置、２０８０；印刷装置、２０９０；記録媒体駆動装置、２１００；記録媒体、２１１０；通信装置、１２０８０、２２１００；ＩＳ−Ａ関係抽出部、１２０９０、２２１１０；ＩＳ−Ａ関係。
【図１】
2009140056.tif 000003
【図２】
2009140056.tif 000004
【図３】
2009140056.tif 000005
【図４】
2009140056.tif 000006
【図５】
2009140056.tif 000007
【図６】
2009140056.tif 000008
【図７】
2009140056.tif 000009
【図８】
2009140056.tif 000010
【図９】
2009140056.tif 000011
【図１０】
2009140056.tif 000012
【図１１】
2009140056.tif 000013
【図１２】
2009140056.tif 000014
【図１３】
2009140056.tif 000015
【図１４】
2009140056.tif 000016
【図１５】
2009140056.tif 000017
【図１６】
2009140056.tif 000018
【図１７】
2009140056.tif 000019
【図１８】
2009140056.tif 000020
【図１９】
2009140056.tif 000021
【図２０】
2009140056.tif 000022
【図２１】
2009140056.tif 000023
【図２２】
2009140056.tif 000024
【図２３】
2009140056.tif 000025
【図２４】
2009140056.tif 000026
【図２５】
2009140056.tif 000027
【図２６】
2009140056.tif 000028
【図２７】
2009140056.tif 000029
【図２８】
2009140056.tif 000030